(57)【要約】      （修正有）【課題】押しボタンを押したときにカレンダーを所持した縫いぐるみからキャラクターの音声が流れる縫いぐるみ付きカレンダーを提供する。【解決手段】縫いぐるみ付きカレンダー１は、キャラクターの形状を有する縫いぐるみ１０と、縫いぐるみに所持されるカレンダー本体と、縫いぐるみの内部に収納されたモジュール３０と、を備え、モジュールが、押しボタンとして構成される押しボタン型筐体と、キャラクターの音声を再生するスピーカと、押しボタン型筐体が押されたときにスピーカにキャラクターの音声を再生させるように構成された回路基板と、を有する。【選択図】図２
0003205844.tif 000002
【実用新案登録請求の範囲】
【請求項１】
キャラクターの形状を有する縫いぐるみと、
前記縫いぐるみに所持されるカレンダー本体と、
前記縫いぐるみの内部に収納されたモジュールと、を備え、
前記モジュールが、押しボタンとして構成される押しボタン型筐体と、前記キャラクターの音声を再生するスピーカと、前記スピーカに接続されていて前記押しボタン型筐体が押されたときに前記スピーカに前記キャラクターの音声を再生させるように構成された回路基板と、を有することを特徴とする縫いぐるみ付きカレンダー。
【請求項２】
前記回路基板が、カレンダーの日数に合わせて前記キャラクターの音声を複数記憶する記憶部と、前記キャラクターの音声を前記スピーカにランダムに再生させる制御部と、を更に有する、請求項１に記載の縫いぐるみ付きカレンダー。
【請求項３】
前記縫いぐるみが前記モジュールを収納するモジュール収納袋を更に有し、前記スピーカが前記モジュール収納袋の中で前記縫いぐるみの正面を向くように配置されている、請求項１に記載の縫いぐるみ付きカレンダー。
【考案の詳細な説明】
【技術分野】
【０００１】
本考案は、キャラクターの音声が流れる縫いぐるみ付きカレンダーに関する。
【背景技術】
【０００２】
従来、複数のメッセージを録音した音声メモリーを接続したポケベルを熊の縫いぐるみに組み込んだものが、例えば特許文献１に開示されている。
【先行技術文献】
【特許文献】
【０００３】
【特許文献１】特開平１０−２２４４９８号公報
【考案の概要】
【考案が解決しようとする課題】
【０００４】
しかしながら、押しボタンを押したときにカレンダーを所持した縫いぐるみからキャラクターの音声が流れる縫いぐるみ付きカレンダーは見当たらなかった。
【課題を解決するための手段】
【０００５】
本考案の第１の態様は、キャラクターの形状を有する縫いぐるみと、縫いぐるみに所持されるカレンダー本体と、縫いぐるみの内部に収納されたモジュールと、を備え、モジュールが、押しボタンとして構成される押しボタン型筐体と、キャラクターの音声を再生するスピーカと、スピーカに接続されていて押しボタン型筐体が押されたときにスピーカにキャラクターの音声を再生させるように構成された回路基板と、を有する、カレンダーを提供する。
本考案の第２の態様は、第１の態様において、回路基板が、カレンダーの日数に合わせてキャラクターの音声を複数記憶する記憶部と、キャラクターの音声をスピーカにランダムに再生させる制御部と、を更に有する、カレンダーを提供する。
本考案の第３の態様は、第１の態様において、縫いぐるみがモジュールを収納するモジュール収納袋を更に有し、スピーカがモジュール収納袋の中で縫いぐるみの正面を向くように配置されている、カレンダーを提供する。
【考案の効果】
【０００６】
本考案に係るカレンダーによれば、押しボタンを押したときにカレンダーを所持した縫いぐるみからキャラクターの音声が流れる縫いぐるみ付きカレンダーを提供できる。
【図面の簡単な説明】
【０００７】
【図１】本考案の一実施形態における縫いぐるみ付きカレンダーの正面図である。
【図２】本考案の一実施形態における縫いぐるみ付きカレンダーの背面図であって、縫いぐるみにモジュールを収納するモジュール収納袋を示す図である。
【図３】本考案の一実施形態の縫いぐるみ付きカレンダーにおけるキャラクターの音声を再生するモジュールの断面図である。
【考案を実施するための形態】
【０００８】
以下、添付図面を参照して、本考案の実施形態を詳細に説明する。各図面において、同様の構成要素には同様の符号が付与されている。なお、以下に記載される内容は、実用新案登録請求の範囲に記載される考案の技術的範囲及び用語の意義を限定するものではない。
【０００９】
図１は、本実施形態における縫いぐるみ付きカレンダー１の正面図であり、図２は、本実施形態における縫いぐるみ付きカレンダー１の背面図であって、縫いぐるみ１０にモジュール３０を収納するモジュール収納袋１１を示す図であり、図３は、本実施形態の縫いぐるみ付きカレンダー１におけるキャラクターの音声を再生するモジュール３０の断面図である。図１〜図３に示すように、縫いぐるみ付きカレンダー１は、縫いぐるみ１０と、カレンダー本体２０と、モジュール３０と、を有する。
【００１０】
図１に示すように、縫いぐるみ１０は、布及び綿等からなる縫製品であって、座ったポーズのうさぎを模したキャラクターの形状を有している。カレンダー本体２０は、紙等から形成されていて、限定されないが、ボールチェーン２１により縫いぐるみ１０の首にかけられている。他の実施形態では、縫いぐるみ１０がカレンダー本体２０を手などで所持してもよい。カレンダー本体２０は、台紙２２と、台紙２２に取り付けられたポリプロピレン等からなるポケット２３と、ポケット２３に挿入されたカレンダー用紙２４と、を含んでいる。カレンダー用紙２４は、限定されないものの、６枚からなり、カレンダー用紙２４の表裏には、１ヶ月分の日付及び曜日が印刷されている。
【００１１】
図２に示すように、縫いぐるみ１０の背部には、キャラクターの音声を再生するモジュール３０を収納するモジュール収納袋１１が形成されている。モジュール収納袋１１の開口部１２には、図示しないものの、面ファスナー部分と、面ファスナー部分に被せる被せ部分とが設けられていて、モジュール３０を取り出して容易に電池交換できる。
【００１２】
図３に示すように、モジュール３０は、押しボタンとして構成される押しボタン型筐体３１と、キャラクターの音声を再生するスピーカ３２と、スピーカ３２に接続されていて押しボタン型筐体３１が押されたときにスピーカ３２にキャラクターの音声を再生させるように構成された回路基板３３と、回路基板３３に接続されていて回路基板３３に電源を供給するボタン電池３４と、を有する。
【００１３】
押しボタン型筐体３１は、第１筐体３１ａと、第１筐体３１ａを受容する第２筐体３１ｂと、第１筐体３１ａ及び第２筐体３１ｂの間に配設されたばね３１ｃと、を有している。ばね３１ｃの一方の端部には、回路基板３３の図示しないスイッチが当接していて、第１筐体３１ａがユーザにより押されると、付勢されたばね３１ｃが回路基板３３の図示しないスイッチを投入するように押しボタン型筐体３１が構成されている。
【００１４】
回路基板３３は、図示しないものの、マイクロコンピュータを有しており、マイクロコンピュータは、カレンダーの日数に合わせてキャラクターの音声を３１種類記憶する記憶部と、キャラクターの音声をスピーカ３２にランダムに再生させる制御部と、を有している。ユーザが押しボタン型筐体３１を押すと、図示しないスイッチを投入された回路基板３３は、キャラクターの音声をスピーカ３２にランダムに再生させる。
【００１５】
スピーカ３２で再生されたキャラクターの音声は、押しボタン型筐体３１の天面（第１本体３１ａの頂面）に形成された複数の音穴３５を通って流れる。あたかもキャラクターが喋っているかのように見せるため、スピーカ３２は、図２に示すモジュール収納袋１１の中で縫いぐるみ１０の正面を向くように配置されることが好ましい。他の実施形態では、スピーカ３２が縫いぐるみ１０の側面を向くように配置されてもよい。
【００１６】
図３を参照して、モジュール３０が音声を再生する手順について説明する。ユーザが縫いぐるみ１０を掴み、縫いぐるみ１０の内部に設けられた押しボタン型筐体３１を押すと、回路基板３３が作動する。回路基板３３は、例えば記憶されたキャラクターの音声「よろしく。」をスピーカ３２に再生させる。
【００１７】
なお、他の実施形態では、回路基板３３が、現在の日付を算出するためのタイマーを更に有していて、算出した現在の日付に応じてキャラクターの音声をスピーカ３２に再生させてもよい。現在の日付が例えば１０日である場合、回路基板３３は、キャラクターの音声「１０日だよ。」をスピーカ３２に再生させる。
【００１８】
ここで、本考案の作用効果について説明する。本考案に係る縫いぐるみ付きカレンダーによれば、押しボタンを押したときにカレンダーを所持した縫いぐるみからキャラクターの音声が流れる縫いぐるみ付きカレンダーを提供できる。スピーカ３２は、限定されないものの、モジュール収納袋１１の中で縫いぐるみ１０の正面を向くように配置されることにより、あたかもキャラクターが喋っているかのように見える縫いぐるみ付きカレンダーを提供できる。
【００１９】
本明細書において種々の実施形態について説明したが、本考案は、前述した種々の実施形態に限定されるものではなく、以下の実用新案登録請求の範囲に記載された範囲内において種々の変更を行えることを認識されたい。
【符号の説明】
【００２０】
１    縫いぐるみ付きカレンダー
１０    縫いぐるみ
１１    モジュール収納袋
２０    カレンダー本体
３０    モジュール
３１    押しボタン型筐体
３２    スピーカ
３３    回路基板
【図１】
0003205844.tif 000003
【図２】
0003205844.tif 000004
【図３】
0003205844.tif 000005